(57)【要約】      （修正有）【課題】高い安全性を備えたスパナの安全装置を提供する。【解決手段】スパナに軸方向に相互にスライド自在に組み合わされたハンドルバーとグリップが設けられ、並びにハンドルバーとグリップの間に抵抗手段が設けられ、工作物を締めつける動作中、締めつけの瞬間に使用者の施力がグリップで軸方向及び垂直方向の分力を発生し、軸方向の分力が直接グリップを軸方向に沿って移動させ並びに抵抗手段を圧縮して対応する抵抗力を発生させ、ハンドルバーにあってグリップがスライドする行程中に表示部が設けられて各種のネジ部品のサイズが表示され、抵抗手段が抵抗力を発生する時、グリップが対応する表示部のサイズ表示部分に移動し、垂直分力とサイズ表示の施力アーム長さが形成する力のモーメントがこのサイズ表示のネジ部品のトルク負荷に符合し、使用者が動作を停止すると、ネジ部品及びスパナの挟持構造に破壊の状況が発生せず、締めつけ作業中のネジ部品と関係構造の安全を確保する。【選択図】図２
0003106297.tif 000002
【実用新案登録請求の範囲】
【請求項１】
工具の駆動ヘッドよりハンドルバーが延伸され、該ハンドルバーにグリップが組み合わされたスパナの安全装置において、
ハンドルバーとグリップが相互に軸方向にスライド自在に組み合わされ、該ハンドルバーとグリップの間に抵抗手段が設けられ、使用者が手でグリップを握持して施力する時、この施力によりハンドルバーが駆動ヘッドを中心として回転することで、該施力が軸方向及び垂直方向の分力を発生し、グリップにハンドルバー上で対応する運動を発生させ、これにより抵抗手段が圧縮され、並びにグリップが適合する力のアーム部分に移動させられハンドルバー上に対応する表示部が設けられ、グリップが動作する時にサイズ表示を表示し、安全参考表示を達成することを特徴とする、スパナの安全装置。
【請求項２】
請求項１記載のスパナの安全装置において、ハンドルバーのグリップに対応する部分に収容溝が設けられ、該収容溝の長さが抵抗手段に対応し、抵抗手段が該収容溝に収容され、抵抗手段の上端と下端がグリップの端面より露出してグリップの対応端面に係止されたことを特徴とする、スパナの安全装置。
【請求項３】
請求項１記載のスパナの安全装置において、ハンドルバー収容溝近くに表示部が設けられ、該表示部がサイズ表示に供されることを特徴とする、スパナの安全装置。
【請求項４】
請求項３記載のスパナの安全装置において、サイズ表示は駆動ヘッドが駆動するネジ部品のサイズを表示し、各サイズ表示の位置は施力値に対応して配置されることを特徴とする、スパナの安全装置。
【請求項５】
請求項１記載のスパナの安全装置において、グリップにハンドルバーに対応してハンドルバー収容溝が設けられ、ハンドルバー収容溝の中央の抵抗手段に対応する位置に収容溝が設けられ、収容溝にストッパ部が設けられて抵抗手段の端部が該収容溝のストッパ部により係止されることを特徴とする、スパナの安全装置。
【請求項６】
請求項５記載のスパナの安全装置において、収容溝のストッパ部は収容溝の両端にあって収容溝を封鎖することを特徴とする、スパナの安全装置。
【請求項７】
請求項１記載のスパナの安全装置において、抵抗手段は長さが収容溝に対応するコイルバネとされたことを特徴とする、スパナの安全装置。
【請求項８】
請求項１記載のスパナの安全装置において、ハンドルバーにおいて直接抵抗手段の中央に支持手段が設けられてハンドルバーの後端に固定されたロック手段と組み合わされたことを特徴とする、スパナの安全装置。
【請求項９】
請求項１記載のスパナの安全装置において、ハンドルバーとグリップ間にそれぞれ半円形の収容溝が設けられ、円形が小さいコイル状の抵抗手段がこの収容溝内に収容されたことを特徴とする、スパナの安全装置。
【請求項１０】
請求項１記載のスパナの安全装置において、ハンドルバーに溝状構造がなく、突出するストッパ部がグリップの収容溝内に進入して収容溝内の抵抗手段に当接することを特徴とする、スパナの安全装置。
【請求項１１】
請求項１記載のスパナの安全装置において、抵抗手段が直接ハンドルバー外周に巻装され、グリップのハンドルバーに対応する収容溝に抵抗手段が収容されてストッパ部に抵抗手段が係止されたことを特徴とする、スパナの安全装置。
【請求項１２】
請求項１記載のスパナの安全装置において、グリップの収容溝の一端が開口とされもう一端にストッパ部が設けられたことを特徴とする、スパナの安全装置。
【請求項１３】
請求項１２記載のスパナの安全装置において、収容溝に設置されたストッパ部が工具の駆動ヘッドに近い端部に設置されたことを特徴とする、スパナの安全装置。
【考案の詳細な説明】
【技術分野】
【０００１】
本考案は一種のスパナの安全装置に係り、特に、ハンドルバーとグリップ間が相互に軸方向にスライド自在に組み合わされた構造形態に、これら二つの部品間に設けられたバネ抵抗手段が組み合わされ、グリップの施力過程中に異なる分力変化を発生し、グリップに抵抗手段を圧縮させて対応する抵抗力を形成させ、有効に使用者に告知し、使用者に施力の参考安全指標を提供する、スパナの安全装置に関する。
【背景技術】
【０００２】
現在スパナ構造はネジ部品を駆動する上での安全性を確保し、ネジ部品に対する過度の施力によりネジ部品を破壊しないように、特定トルクに対応する設計を設けるか、トルク調整式構造を設計し、即ち予め対応するトルクを設定し、スパナ動作時に、トルク超過時に空転の方式で安全制御の目的を達成するようにしている。
【０００３】
そのような構造の大半は、スパナのハンドルバー内に圧縮バネが設けられ、該圧縮バネの一端がラチェットホイール或いは駆動ヘッド内の係止歯と係合し、別端が回転式のグリップ或いは回転圧縮調整構造とされて圧縮バネの被圧縮の力を調整後に駆動ヘッド内の係止歯に一定の付勢力を具備させ、回す力が設定されたトルク値を超過する時、係止歯が離脱し、スパナがそれ以上ネジ部品に施力できないようにしてネジ部品の破壊を防止する目的を達成する。ただしこのような構造は以下のようにいずれも不合理なところがあった。
１．異なるネジ部品に対して予め回転調整を行なわねばならない。
調整のレベルの差が大きいと、調整の行程もこれに伴い増加し、回転周数が増し、回転形が大きくなり、使用上、不便であり、改良の必要がある。
２．トルクのアームの設計が不合理である。
必要なトルクが大きくなる時、その内部のバネの圧縮の行程もこれに伴い増加し、即ちグリップが回転により駆動ヘッド端に向けてバネを圧縮し、施力の力のアームがこれに伴い短縮され、使用者がグリップを握り施力する時、力のアームが短縮され、トルクが大きくなるほど施力アームが短くなり、使用者はこれに伴い施力を大きくしなければならず、これは不合理な設計である。
３．トルク達成前にトルクの状態を知る事ができない。
トルク構造がグリップ内部において調整後に、動作過程中に使用者が外部から見て内部の構造変化を知る事ができず、ゆえに設定されたトルク値が達成される前に使用者は予め達成前に力を減らすことができず、必然的に施力過度後の空転の後に再度操作を繰り返すことになり、空転構造の損害を形成しやすい。
４．バネの疲労と関係構造の失効を発生しやすい。
内部のバネを長時間圧縮すると疲労が発生しやすく、長時間使用後にトルクの安全の正確度を達成できなくなり、ゆえに改良の必要がある。
【０００４】
周知のスパナに設けられたスライドハンドル構造には特許文献１〜４があり、また、特許文献５に記載の構造によると、スライド可能なグリップが設けられ、それは作動アームを伸縮できるか或いは施力アームの長さを改変できる。しかし、このような各種の構造中にグリップを回すトルクを確認できる構造はなく、このためトルクが実際の必要に符合しないことがあり、ネジ部品を折損したりトルク不足により締めが甘くなる欠点が生じ、改良の必要がある。
【０００５】
【特許文献１】ドイツ特許第ＤＥ２９９００６１５Ｕ１号明細書
【特許文献２】米国特許第５８２３８０７７号明細書
【特許文献３】英国特許第４７０６２５号明細書
【特許文献４】英国特許第ＧＢ２１２５３２８Ａ明細書
【特許文献５】米国特許第５９３１０６５号明細書
【考案の開示】
【考案が解決しようとする課題】
【０００６】
本考案の主要な目的は、一種のスパナの安全装置を提供することにあり、それは、工具の相互に軸方向にスライドするハンドルバーとグリップの間に相互に制圧可能な抵抗手段が設けられ、スパナが回される時、ハンドルバーが駆動ヘッドを中心として回転する時、使用者が握持するグリップが遠心力と軸方向の分力を発生する時に抵抗手段を圧縮し、グリップが軸方向に沿って移動して施力アームが増され、並びにハンドルバー上の表示部の設置により対応する表示を行ない、使用者がネジ部品の受ける力のモーメントを知ることができ、これにより動作を停止でき、ネジ部品の締めつけ作業の動作中に即刻対応する情報を表示して使用者に告知し、動作を停止させることができる、高い安全性を具えた構造形態とされる。
【課題を解決するための手段】
【０００７】
請求項１の考案は、工具の駆動ヘッドよりハンドルバーが延伸され、該ハンドルバーにグリップが組み合わされたスパナの安全装置において、
ハンドルバーとグリップが相互に軸方向にスライド自在に組み合わされ、該ハンドルバーとグリップの間に抵抗手段が設けられ、使用者が手でグリップを握持して施力する時、この施力によりハンドルバーが駆動ヘッドを中心として回転することで、該施力が軸方向及び垂直方向の分力を発生し、グリップにハンドルバー上で対応する運動を発生させ、これにより抵抗手段が圧縮され、並びにグリップが適合する力のアーム部分に移動させられハンドルバー上に対応する表示部が設けられ、グリップが動作する時にサイズ表示を表示し、安全参考表示を達成することを特徴とする、スパナの安全装置としている。
請求項２の考案は、請求項１記載のスパナの安全装置において、ハンドルバーのグリップに対応する部分に収容溝が設けられ、該収容溝の長さが抵抗手段に対応し、抵抗手段が該収容溝に収容され、抵抗手段の上端と下端がグリップの端面より露出してグリップの対応端面に係止されたことを特徴とする、スパナの安全装置としている。
請求項３の考案は、請求項１記載のスパナの安全装置において、ハンドルバー収容溝近くに表示部が設けられ、該表示部がサイズ表示に供されることを特徴とする、スパナの安全装置としている。
請求項４の考案は、請求項３記載のスパナの安全装置において、サイズ表示は駆動ヘッドが駆動するネジ部品のサイズを表示し、各サイズ表示の位置は施力値に対応して配置されることを特徴とする、スパナの安全装置としている。
請求項５の考案は、請求項１記載のスパナの安全装置において、グリップにハンドルバーに対応してハンドルバー収容溝が設けられ、ハンドルバー収容溝の中央の抵抗手段に対応する位置に収容溝が設けられ、収容溝にストッパ部が設けられて抵抗手段の端部が該収容溝のストッパ部により係止されることを特徴とする、スパナの安全装置としている。
請求項６の考案は、請求項５記載のスパナの安全装置において、収容溝のストッパ部は収容溝の両端にあって収容溝を封鎖することを特徴とする、スパナの安全装置としている。
請求項７の考案は、請求項１記載のスパナの安全装置において、抵抗手段は長さが収容溝に対応するコイルバネとされたことを特徴とする、スパナの安全装置としている。
請求項８の考案は、請求項１記載のスパナの安全装置において、ハンドルバーにおいて直接抵抗手段の中央に支持手段が設けられてハンドルバーの後端に固定されたロック手段と組み合わされたことを特徴とする、スパナの安全装置としている。
請求項９の考案は、請求項１記載のスパナの安全装置において、ハンドルバーとグリップ間にそれぞれ半円形の収容溝が設けられ、円形が小さいコイル状の抵抗手段がこの収容溝内に収容されたことを特徴とする、スパナの安全装置としている。
請求項１０の考案は、請求項１記載のスパナの安全装置において、ハンドルバーに溝状構造がなく、突出するストッパ部がグリップの収容溝内に進入して収容溝内の抵抗手段に当接することを特徴とする、スパナの安全装置としている。
請求項１１の考案は、請求項１記載のスパナの安全装置において、抵抗手段が直接ハンドルバー外周に巻装され、グリップのハンドルバーに対応する収容溝に抵抗手段が収容されてストッパ部に抵抗手段が係止されたことを特徴とする、スパナの安全装置としている。
請求項１２の考案は、請求項１記載のスパナの安全装置において、グリップの収容溝の一端が開口とされもう一端にストッパ部が設けられたことを特徴とする、スパナの安全装置としている。
請求項１３の考案は、請求項１２記載のスパナの安全装置において、収容溝に設置されたストッパ部が工具の駆動ヘッドに近い端部に設置されたことを特徴とする、スパナの安全装置としている。
請求項１４の考案は、請求項１記載のスパナの安全装置において、グリップの収容溝が、一端が開口とされ、もう一端にストッパ部が設置された構造形態とされたことを特徴とする、スパナの安全装置としている。
【考案の効果】
【０００８】
本考案はハンドルバーにより施力する工具上にあって、回す動作過程中にグリップが軸方向にスライドすることで施力の安全値を表示し、高い安全性の参考形態を形成して施工上の安全要求に符合するスパナの安全装置を提供している。
【考案を実施するための最良の形態】
【０００９】
図１に示されるように、本考案のスパナ工具１０の外部の基本構造は、駆動ヘッド１１よりハンドルバー１２が延伸され、ハンドルバー１２にグリップ２０が組み合わされている。本考案の特徴は以下のとおりである。
【００１０】
本考案のハンドルバー１２とグリップ２０の間にはバネ形態の抵抗手段３０が設けられ、図２、３も参照されたいが、ハンドルバー１２には抵抗手段３０を収容するための収容溝１３が設けられている。使用者がグリップ２０を握持して施力する時、グリップ２０に対する施力がハンドルバー１２を駆動ヘッド１１を中心として回転させて軸方向の分力を発生し、これによりグリップ２０がハンドルバー１２上で対応する運動を発生し、抵抗手段３０を圧縮し、並びにグリップ２０を適当な力のアーム部分に移動させる。ハンドルバー１２には表示部１４が設けられ、グリップ２０が動作する時、サイズ表示１４０を表示し、安全参考表示の目的を達成する。
【００１１】
そのうち、ハンドルバー１２のグリップ２０に対応する部分に長い収容溝１３が設けられ、抵抗手段３０は全体が該収容溝１３に収容され、抵抗手段３０の上端と底端がグリップ２０の端面に露出してグリップ２０の対応端面に係止される。
【００１２】
ハンドルバー１２の収容溝１３近くに別に表示部１４が設けられ、該表示部１４は線状のサイズ表示１４０を提供し、サイズ表示１４０は駆動ヘッド１１が駆動するネジ部品のサイズを表示し、各サイズ表示１４０の位置は施力値に対応するよう配置されている。
【００１３】
グリップ２０は二つの半型体が突き合わされて結合されてなり、グリップ２０にハンドルバー１２に対応して方形溝状のハンドルバー収容溝２１が設けられ、並びにハンドルバー収容溝２１の中央の抵抗手段３０に対応する部分に半円形の収容溝２２が設けられ、該収容溝２２の端部にこの半円溝を封鎖するようストッパ部２２０が形成されている。
【００１４】
抵抗手段３０は長さが収容溝１３に対応するコイルバネとされ、グリップ２０が力を受ける時、グリップが弾性係数Ｋ値と正比例をなす抵抗力を発生する。
【００１５】
本発明を使用する時、使用者がグリップ２０に施力Ｆを与える時、図４、５、６、７に示されるように、施力Ｆがグリップ２０及びハンドルバー１２を押動して駆動ヘッド１１を回転の中心Ｏとして回転させ、締めつけの瞬間に、使用者が工具１０を戻して施力Ｆに垂直にグリップ２０中心を押させる時、もともとグリップ２０に垂直な施力Ｆは傾斜するグリップ２０に対して分力を発生し、施力Ｆの軌跡は施力の慣性により動作の過程でもとの方向より移動し、更には遠心力により回転中心Ｏより離れる方向に移動し、その分力は軸方向分量ＦＨであり、もう一つは垂直分量ＦＶである。そのうち、軸方向分力ＦＨはグリップを押圧して抵抗手段３０を圧縮し並びに駆動ヘッド１１より離れるように、施力アームＬを延長して長施力アームＬ１となし、同時にハンドルバー１２上の表示部１４もまた対応するサイズ表示１４０を表示する。施力Ｆが軌跡Ｐ０よりＰ１点に至り所定の施力が達成されると、それに対応するネジ部品のサイズ表示１４０が表示され、その垂直分量ＦＶと長い施力アームＬ１の乗積がネジ部品が許容する力のモーメントの最大安全値であり、そのうち、その軸方向分力ＦＨと抵抗手段３０の圧縮量は正比例をなし、ゆえに抵抗手段３０の変形力により軸方向分力ＦＨと垂直分力ＦＶを計算し、並びに施力Ｆを推定でき、同時にサイズ表示１４０の所在位置を形成でき、これによりサイズ表示１４０表示後に、使用者の施力を動作中に行なう時、もし施力Ｆより小さければ、そのサイズ表示は表示されず、動作中に行なう時、施力Ｆが対応する値以上であれば、予め設けられたサイズ表示１４０が表示され、且つサイズ表示１４０は使用者に対する高い告知機能を具えている。ネジ部品の締めつけ程度が所定の標準に到達しない時、使用者の施力Ｆは続けて工具を駆動して軌跡のＰ３を達成し、もう一つの分力角θ２の分力形態を形成し、こうして全体の動態平衡の形態を達成できる。
【００１６】
この構造は以下のような優れた点を有している。
１．構造を簡易化できる。
ハンドルバー１２とグリップ２０に抵抗手段３０が組み合わされ、グリップ２０とハンドルバー１２間に施力動作過程で一定の軸方向移動変化量を発生させ、ネジ部品のサイズに対応する施力位置を表示し、周知の複雑なトルクスパナに較べて製造と修理コストが低く、経済性を有している。
２．施力が合理的である。
ネジ部品の必要とするトルクが大きくなるほど、グリップ２０の抵抗手段３０に対する圧縮力量が大きくなり、圧縮量が増すと、施力アームＬ１が長くなり、垂直分力ＦＶが短くなり、その施力Ｆも長い施力アームＬ１の増加に併せて、最も合理的な力量範囲で回す動作に供され、周知の構造のようにトルク値が大きくなると施力アームが短くなるのとは異なり、本考案の構造設計は合理性を有している。
３．予め設定する必要がない。
本考案の構造はグリップ２０が受力する時、表示も行ない、複雑な事前の設定作業が不要であり、速やかに使用でき、便利な表示機能も有している。
４．連続観察使用可能である。
グリップ２０とハンドルバー１２は受力動作過程中に対応する運動を発生し、即ちサイズ表示１４０により施力の変化状態を知ることができ、設定されたトルク安全値に達する前に、動作を停止でき、高い安全性を有している。
【００１７】
前述の構造方式は、ハンドルバー１２において、図８に示されるように、抵抗手段３０の中央に別に収容された支持手段１５にハンドルバー１２の末端に固定されたロック手段１６が組み合わされた形態とされてもよい。
【００１８】
また図９に示されるように、抵抗手段３０の長さが短縮されてグリップ２０移動時にハンドルバー１２の収容溝１３が露出しない形態とされうる。
【００１９】
ハンドルバー１２内の収容溝１３は図１０に示されるように、ハンドルバー１２とグリップ２０間の構造形態に応じて半円形の収容溝１３Ａ、及び収容溝２２Ａとされ得て、円径小さいコイル状の抵抗手段Ａが収容されても、前述の実施例と同様の効果を達成できる。或いは、図１１に示されるように、ハンドルバー１２に溝構造が設けられず、突出するストッパ部１７がグリップ２０の収容溝２２Ｂ内に挿入されて、収容溝２２Ｂ内の抵抗手段３０Ｂと当接する形態も、前述の各種の機能を達成できる。また、図１２に示されるように、オープンスパナ及び活動スパナに使用可能である。また、図１３に示されるように、本考案の構造はダブルヘッド式の構造に使用可能で、即ちオープンエンドとクローズエンドの複合式構造に使用可能である。また、図１４に示されるように、抵抗手段３０Ｃは直接ハンドルバー１２の外周に巻装可能で、並びにグリップ２０に対応する収容溝２２Ｃが設けられて収容に供され、ハンドルバー１２にストッパ部１７Ａが設けられて抵抗手段３０Ｃを係止する形態も可能である。また図１４に示される構造は図１２に示される工具構造に使用され、即ちハンドルバー１２は円柱体の構造とされている。
【００２０】
また、図１、２、１６に示されるように、グリップ２０の収容溝２２Ｄは一端が開口に、もう一端にストッパ部２２０Ｄが設けられた形態とされ得て、図１６では、収容溝２２Ｄのストッパ部２２０Ｄは工具１０の駆動ヘッド１１に接近する端部に設置されている。単一端のストッパ部２０Ｄを具えたグリップ２０構造は、図１６に示されるように、ハンドルバー１２の収容溝１３Ｂの両端にそれぞれ内に凹んだストッパ部１８が設けられ、支持手段１５Ｂの細径端がその間に挿入され、並びにストッパ部１８の外向きに開放された端部に別にロック手段１６Ａが螺設され、もともと開放状のストッパ部１８の形態がロック手段１６Ａを係止して閉鎖された構造形態とされ、その支持手段１５Ａの中段の外径と抵抗手段３０の内径は相当し、支持手段１５Ａが確実に抵抗手段３０を支持し、これは別の実施形態の構造とされている。
【００２１】
図１から図６に示されるように、本考案のハンドルバー１２の前端と後端の、グリップ２０スライド時の最終行程部分に、別に浅溝形態のストッパ部１２０が設けられてストッパ１９が、その底部がストッパ部１２０内に挿入されて位置決めされ、ストッパ１９のストッパ部１２０より外部に露出した端部は三角形の指標の構造形態とされて表示或いはストッパの構造機能を形成し、グリップ２０のスライド時の係止、位置決めの機能を提供する。また、図１３、１５に示されるように、そのストッパ１９は異なる工具形態に組み合わせて設置可能である。
【００２２】
総合すると、本考案は確実に上述の諸機能を達成し、ゆえに本考案は実用新案登録の要件を具備するものである。
【図面の簡単な説明】
【００２３】
【図１】本考案の外観図である。
【図２】本考案のシステム分解図である。
【図３】本考案の断面図である。
【図４】本考案の動作平面図である。
【図５】本考案の動作断面図である。
【図６】本考案の動作力分析図である。
【図７】本考案の動作軌跡表示図である。
【図８】本考案の第２実施例表示図である。
【図９】本考案の第３実施例表示図である。
【図１０】本考案の第４実施例表示図である。
【図１１】本考案の第５実施例表示図である。
【図１２】本考案を異なるシングルヘッド工具に実施した表示図である。
【図１３】本考案を異なるダブルヘッド工具に実施した表示図である。
【図１４】本考案を円柱形態のハンドルバーに実施した表示図である。
【図１５】本考案を円柱形態のハンドルバーに実施した外観表示図である。
【図１６】本考案の第７実施例表示図である。
【符号の説明】
【００２４】
１０  工具            １１  駆動ヘッド      １２  ハンドルバー
１２０  ストッパ部    １３、１３Ａ、１３Ｂ  収容溝
１４  表示図          １４０  サイズ表示
１５、１５Ａ  支持手段  １６、１６Ａ  ロック手段
１７、１７Ａ  ストッパ部  １８  ストッパ部
１９  ストッパ部              ２０  グリップ          ２１  ハンドルバー収容溝
２２、２２Ａ、２２Ｂ、２２Ｃ、２２Ｄ  収容溝
２２０、２２０Ａ、２２０Ｂ、２２０Ｃ、２２０Ｄ  ストッパ部
３０、３０Ａ、３０Ｂ、３０Ｃ  抵抗手段
４０  案内手段
【図１】
0003106297.tif 000003
【図２】
0003106297.tif 000004
【図３】
0003106297.tif 000005
【図４】
0003106297.tif 000006
【図５】
0003106297.tif 000007
【図６】
0003106297.tif 000008
【図７】
0003106297.tif 000009
【図８】
0003106297.tif 000010
【図９】
0003106297.tif 000011
【図１０】
0003106297.tif 000012
【図１１】
0003106297.tif 000013
【図１２】
0003106297.tif 000014
【図１３】
0003106297.tif 000015
【図１４】
0003106297.tif 000016
【図１５】
0003106297.tif 000017
【図１６】
0003106297.tif 000018